(57)【要約】 【課題】安定したシーソー運動を得ることができる、枕木を含む筆記具入れの提供。【解決手段】筆記具入れ１０の底部１２０の中央付近に、枕木３０を備える。枕木３０には、その上面に、間隔を置いて複数の凹部３２がある。それらの凹部３２は、枕木３０をまたぐように横切る筆記具を載せるための溝である。凹部３２の部分に載った筆記具は、縦の方向にずれにくく、そのために、筆記具を取り出す際、筆記具のシーソー運動を安定化させることができる。【選択図】図１
0003221224.tif 000002
【実用新案登録請求の範囲】
【請求項１】
縦よりも横の方向が長い底部を少なくとも含み、その底部上に、鉛筆、ボールペン、シャーペンなどの筆記具を寝かせて収納する筆記具入れであって、
前記より長い横の方向の中央付近に、縦方向に走る枕木を備え、
その枕木上を交差するように寝る筆記具について、一端に押下げ力を与えることにより他端を上方に持ち上げるシーソー運動をするように構成し、
さらに、前記枕木に載る筆記具のシーソー運動を安定化させる手段を備えることを特徴とする、筆記具入れ。
【請求項２】
前記枕木は、その上を交差するように寝る筆記具の一端に押下げ力を与えることにより、筆記具に触れる部分が弾性的に凹む構成である、請求項１の筆記具入れ。
【請求項３】
前記筆記具が触れる前記枕木の面には、筆記具を載せる凹部がある、請求項１の筆記具入れ。
【考案の詳細な説明】
【技術分野】
【０００１】
この考案は、筆記具の取出しを楽にした筆記具入れであり、特に、高齢者の使用に適した筆記具入れに関する。
【背景技術】
【０００２】
この種の筆記具入れは、一般的には、筆記具を入れる容器本体のほか、その容器本体の開口を閉じるふた部分を備えるクローズドタイプであるが、そのほか、ふた部分を含まない皿型のオープンタイプもある。しかし、いずれのタイプの筆記具入れにも、収納する筆記具が寝る底部があり、その底部は、縦よりも横の方向が長い。より長い横の方向は、収納する鉛筆、ボールペン、シャーペンなどの筆記具の長さを受け入れるだけの大きさである。
【０００３】
このような筆記具入れの使い勝手を良くするため、特許文献１においては、内底にリブを設けることにより、収納した消しゴムの一端を押し下げたときに、枕木の作用（シーソー作用）により、消しゴムを内底から浮かせて容易に取り出すようにした技術を明らかにしている。
【先行技術文献】
【特許文献】
【０００４】
【特許文献１】実用新案出願公告昭５７−４５８６４号公報
【考案の概要】
【考案が解決しようとする課題】
【０００５】
シーソー作用あるいは運動により、収納したものを取り出すという考え方は、特に、高齢者にとって大変有用である。消しゴムの場合、支点となるリブあるいは枕木との接触長さが長いので、比較的安定したシーソー運動が期待できるが、鉛筆などの筆記具の場合、接触長さが短いことから、必ずしも安定したシーソー運動を得ることができない。その点、特に高齢者など、手先を使う作業が苦手の者には、安定した動きを得るための手立てが求められる。
【０００６】
そこで、この考案では、支点となる枕木との接触長さが短い場合であっても、より安定したシーソー運動を得ることができる、枕木を含む筆記具入れを提供することを目的とする。
【０００７】
また、この考案は、筆記具の収納状態をも安定させることができる筆記具入れを提供することを他の目的とする。この考案のさらなる目的については、今後の説明から明らかになるであろう。
【課題を解決するための手段】
【０００８】
この考案の筆記具入れは、基本的に、筆記具が含む枕木上を交差するように寝る筆記具について、一端に押下げ力を与えることにより他端をシーソー運動のように上方に持ち上げるような構成であり、しかも、枕木に載る筆記具のシーソー運動を安定化させる手段をも備えている。
【０００９】
シーソー運動を安定化させる第１の手段は、外力を受けたときに枕木が弾性的に凹むような構成としたもの、すなわち、枕木は、その上を交差するように寝る筆記具の一端に押下げ力を与えることにより、筆記具に触れる部分が弾性的に凹む構成であること、である。
【００１０】
また、シーソー運動を安定化させる第２の手段は、筆記具が触れる枕木の面に凹部があり、その凹部上に筆記具を載せる構成としたもの、である。
【００１１】
さらには、シーソー運動を安定化させる手段として、すでに述べた第１の手段と第２の手段とを組み合わせて用いることがさらに有効である。
【図面の簡単な説明】
【００１２】
【図１】この考案の筆記具入れの実施例を示す斜視図である。
【図２】図１の２−２線に沿う断面図である。
【図３】図２と同様の断面図であり、別の形態を示す図である。
【図４】筆記具の取出し状態を示す概念図である。
【考案を実施するための形態】
【００１３】
図１は、この考案の一実施例である筆記具入れ１０の全体を示す。筆記具入れ１０は、筆記具を入れる容器本体１２と、ふた部分１４とを備える。容器本体１２は、底部１２０と、その底部１２０の周りに立つ側壁１２２とを含む。容器本体１２は四角の皿形状であり、底部１２０の上方が開いている。ふた部分１４は、その容器本体１２の上部の開口を閉じるものであり、容器本体１２の一側に回転可能に支持されている。
【００１４】
筆記具入れ１０は、縦方向の長さが、たとえば５〜７ｃｍであるのに対し、横の方向は、たとえば１５〜２０ｃｍである。横の方向は、中に入れる筆記具を受け入れる大きさである。この筆記具入れ１０の横方向中央付近に注目されたい。その中央付近に縦に走る枕木３０がある。枕木３０は、細長いかまぼこ形状であり、その上面が半円弧あるいは半楕円の形状をしている。枕木３０は、容器本体１２の一方の側壁から他方の側壁にまで達する長さである。
【００１５】
図２は、図１の２−２線に沿う枕木３０の断面図である。この図２に示すように、枕木３０は、たとえばシリコンやポリエチレンといった合成樹脂製の成形品である。その枕木３０には、その上面に、間隔をおいて複数の凹部３２がある。隣り合う凹部３２同志の間隔は、そこに載る筆記具が互いに干渉しないように設定するのが好ましい。それらの凹部３２は、枕木３０をまたぐように横切る筆記具を載せるための溝である。凹部３２に載った筆記具は、縦の方向にずれにくく、そのために、後で述べる筆記具のシーソー運動を安定に行うことができる。
【００１６】
図３は、枕木の別の実施例を示す、図２と同様の断面図である。図３に示す枕木３００は、枕木自体が二層構造であり、枕木本体３０２の上に柔軟な層３０４を積層した構造である。柔軟な層３０４は、枕木本体３０２に比べて柔軟であり、筆記具自体の重さ、あるいは筆記具を通して加わる外力によって弾性変形するほどである。そのため、筆記具のシーソー運動の際、筆記具は、柔軟な層３０４の部分を弾力的に凹ませ、前記した凹部３２と同様の役割を果たすことができる。枕木本体３０２を一般的な合成樹脂で構成し、また、柔軟な層３０４を発泡樹脂層、あるいは柔らかなゴム層などによって構成することができる。  
【００１７】
図４は、枕木３０（３００）を含む筆記具入れの使用例を示す概念図である。筆記具５０は、筆記具入れの底部１２０の枕木３０（３００）をまたぐように寝ている。枕木３０（３００）に載る筆記具５０は、一方の端５０１が底部１２０から浮いているが、他方の端５０２は底部１２０に接している。たとえば高齢者にとっては、浮いているとはいえ、一方の端５０１を摘まみ上げるのはなかなか難しい。その点、一方の端５０１を一方の手の指先で下方に押さえ力Ｆを加えることにより、筆記具５０をシーソー運動させて、筆記具５０の他方の端５０２を浮き上がらせることができる。このように、筆筆記具５０の一方の端５０１を押さえて支持しつつ、浮き上がった他方の端５０２を摘まみ上げることは、高齢者にも比較的に容易である。
【００１８】
筆記具入れ１０においては、特に、枕木３０が凹部３２や柔らかな層３０４をもつことから、筆記具５０のシーソー運動の際に、それらの凹部３２や層３０４が筆記具５０の縦方向へのずれを防ぎ、シーソー運動を安定化することができる。
【００１９】
また、筆記具入れ５０の凹部３２や層３０４は、シーソー運動を安定化させる手段として働くほか、筆記具入れ５０の中の筆記具５０の収納状態をも安定にすることができる。
【符号の説明】
【００２０】
１０  筆記具入れ
１２  容器本体
１２０  底部
１４  ふた部分
３０，３００  枕木
３２  凹部
３０２  枕木本体
３０４  柔らかな層
５０  筆記具
【図１】
0003221224.tif 000003
【図２】
0003221224.tif 000004
【図３】
0003221224.tif 000005
【図４】
0003221224.tif 000006
【手続補正書】
【提出日】平成31年3月7日(2019.3.7)
【手続補正１】
【補正対象書類名】実用新案登録請求の範囲
【補正対象項目名】全文
【補正方法】変更
【補正の内容】
【実用新案登録請求の範囲】
【請求項１】
縦よりも横の方向が長い底部を少なくとも含み、その底部上に、鉛筆、ボールペン、シャーペンなどの筆記具を寝かせて収納する筆記具入れであって、
前記縦より長い横の方向の中央付近に、縦方向に走る枕木を備え、
その枕木上を交差するように寝る筆記具について、一端に押下げ力を与えることにより他端を上方に持ち上げるシーソー運動をするように構成し、
さらに、前記枕木が凹みをもって筆記具を支えることにより、その枕木に載る筆記具のシーソー運動を安定化させる手段を備えることを特徴とする、筆記具入れ。
【請求項２】
前記枕木の表面部分は柔軟な層を備え、その上を交差するように寝る筆記具の一端に押下げ力を与えることにより、筆記具に触れる部分が弾性的に凹む構成である、請求項１の筆記具入れ。
【請求項３】
前記筆記具が触れる前記枕木の面には、筆記具を載せる凹部がある、請求項１の筆記具入れ。